(57)【特許請求の範囲】
【請求項１】
フェイスマスク本体に取り付ける吸排気装置であって、
外部から空気を吸排気するための開口部を備えた収納部と、
前記収納部を前記フェイスマスク本体の周縁部に着脱可能に保持するための保持部材と、
前記フェイスマスク本体を顔に装着するための取掛部材と、を備え、
前記収納部の開口部には、フィルターが設けられており、
前記収納部は、内部に外気濾過捕集物質を収納可能に構成されており、
前記保持部材は、前記収納部に固定されていることを特徴とする吸排気装置。
【請求項２】
前記収納部は、複数の開口部を有し、
前記開口部の一方は、吸気口として機能し、前記開口部の他方は、排気口として機能し、前記収納部は、前記吸気口を有する吸気通路と、前記排気口を有する排気通路とを有し、前記吸気通路と前記排気通路との間に隔壁が設けられており、
前記収納部は、前記吸気通路に外気濾過捕集物質を収納可能に構成されており、
前記排気通路には、収納部の内部から外部方向の方向に空気を排出するための排気弁が設けられていることを特徴とする請求項１に記載の吸排気装置。
【請求項３】
前記収納部の内部に、外気濾過捕集物質が収納されており、
前記外気濾過捕集物質は、粉状、粒状、或いは固形形状を有することを特徴とする請求項１又は２に記載の吸排気装置。
【請求項４】
外気濾過捕集物質を収納するための外部収納容器を更に備え、
前記外部収納容器は、前記収納部の内部形状に対応した形状を有する箱型のフィルターケース、又は袋状のフィルターパックを含むことを特徴とする請求項１〜３のいずれか一項に記載の吸排気装置。
【請求項５】
前記収納部は、さらに、水蒸気を供給するための貯水容器を備え、
前記貯水容器は、水蒸気を徐散するための穴部又は多孔質材料からなることを特徴とする請求項１〜４のいずれか一項に記載の吸排気装置。
【請求項６】
前記貯水容器にパイプにより接続され、液体を収納する別の接続容器と、
別の接続容器から前記貯水容器に前記液体を供給するためのポンプと、をさらに備えることを特徴とする請求項５に記載の吸排気装置。
【請求項７】
前記フェイスマスク本体は、単層、多層、又は袋状のシートを含み、紙類、織布、不織布、樹脂、多孔質セラミック、金属、又はゴム系の材料からなることを特徴とする請求項１〜６のいずれか一項に記載の吸排気装置。
【請求項８】
前記フェイスマスク本体を鼻に当接するための当接部材を更に備え、
前記当接部材は、前記収納部または前記保持部材に設けられていることを特徴とする請求項１〜７のいずれか一項に記載の吸排気装置。
【請求項９】
請求項１〜８に記載の吸排気装置と、
前記吸排気装置を取り付けるための前記フェイスマスク本体と、を含み、
前記吸排気装置は、前記フェイスマスク本体の周縁部に着脱可能に取り付けられていることを特徴とするフェイスマスク。
【請求項１０】
前記マスク本体が、吸水性高分子ポリマー、吸水性剤または保水カプセルを含むことを特徴とする請求項９に記載のフェイスマスク。
【請求項１１】
前記マスク本体を鼻に当接するための当接部材を更に備え、
前記当接部材は、前記収納部または前記保持部材に設けられていることを特徴とする請求項９又は１０に記載のフェイスマスク。
【発明の詳細な説明】
【技術分野】
【０００１】
本発明は、吸排気装置、及びマスクに関するものである。
【背景技術】
【０００２】
フェースマスクとして、マスク本体の両側部が肌に接触しても、着用者の肌を強く刺激するおそれがない使い捨てマスクが提供され利用されている（特許文献１参照）。
【０００３】
また、防塵マスクの事例であるが、呼気弁を用いて流体が弁座を通って流れることを防止するように呼気弁が閉構成に配置されたとき、弁フラップは弁座のシール面に対してシールされるようになって実質的に非円形の形状を備えることができるマスクも利用されている（特許文献２参照）。
【先行技術文献】
【特許文献】
【０００４】
【特許文献１】特開２０１９−１８３３４５公報
【特許文献２】特表２０１９−５３０４９９公報
【発明の概要】
【発明が解決しようとする課題】
【０００５】
特許文献１には、マスク本体の両側部が肌に接触しても、着用者の肌を強く刺激するおそれがない使い捨てマスクが提供されることが記載されている。
【０００６】
また、特許文献２には、呼気弁を用いて呼気の排気を容易に、かつ確実に行い形状の違いにも対応するデバイスを備えた濾過フェイスマスクが開示されている。
【０００７】
しかし、例えばハンカチや紙フィルタ等の身の回りの物を用いて簡便に製作でき、緊急時にも対応できるマスクは存在していなかった。
【０００８】
本発明は、使い切りマスクの特徴である、いつでもどこでもどの場面でも利用が出来る便利さに対して、新種の感染症の拡散やパンデミックの際に、感染防止や予防を目的として使用需要が一時的に向上し、発生地域や周辺国で一斉にマスクが入手困難な状態になった時に、身近なものでマスクの代用が可能になり、緊急時でも簡便にマスクが提供され、需要を満たすことが出来ることことを目的とするものである。
【０００９】
更に付帯する効果として、需要量が平準な時期の普段使いにおいても、比較的安価な対象物（シート）を用いて簡便にマスクが提供され、対象物（シート）に装飾や形状のデザインを施すことも可能になり、同時に、現行の使い捨てマスクの多くがフィルター部、保持するためのストラップ部、およびノーズフィッター部等に樹脂製品を多用しており、海洋汚染問題を含んでいるのに対して、本発明はエコロジーな材質で出来た対象物（シート）を多くの部位に用いる事が出来る方法を、提供することを目的とするものである。
【課題を解決するための手段】
【００１０】
本発明に係る吸排気装置は、フェイスマスクを形成するための吸排気装置であって、外部から空気を吸排気するための開口部を備えた収納部と、前記収納部を対象物に着脱可能に保持するための保持部材とを備える。前記収納部の開口部には、フィルターが設けられており、前記収納部は、内部に外気濾過捕集物質を収納可能に構成されており、前記保持部材は、前記収納部に固定されていることを特徴とする。
【００１１】
本発明に係る吸排気装置では、外部から空気を吸排気するための開口部を備えた収納部と、収納部を対象物（シート）に着脱可能に保持でき、収納部に固定された保持部材とを備えている。これにより、収納部の開口部設けられたフィルターと、その内部に保持された外気濾過捕集物質によって、吸気する空気の微粒子を濾過し捕集することができる。
【００１２】
本発明に係る吸排気装置では、前記収納部は、複数の開口部を有し、前記開口部の一方は、吸気口として機能し、前記開口部の他方は、排気口として機能し、前記収納部は、前記吸気口を有する吸気通路と、前記排気口を有する排気通路とを有し、前記吸気通路と前記排気通路との間に隔壁が設けられており、前記収納部は、前記吸気通路に外気濾過捕集物質を収納可能に構成されており、前記排気通路には、収納部の内部から外部方向の方向に空気を排出するための排気弁が設けられていることを特徴としてもよい。
【００１３】
本発明に係る吸排気装置では、収納部が複数の開口部を有しており、開口部の一方は吸気口として機能し、開口部の他方は排気口として機能している。また、収納部は吸気口を有する吸気通路と、排気口を有する排気通路とを有しており、吸気通路と排気通路との間に隔壁が設けられている。これにより、収納部は、その吸気通路に外気濾過捕集物質を収納可能に構成されており、排気通路に配置された排気弁を用いて収納部の内部から外部方向の方向に空気を排出することができる。
【００１４】
また、本発明に係る吸排気装置では、前記収納部の内部に、外気濾過捕集物質が収納されており、前記外気濾過捕集物質は、粉状、粒状、或いは固形形状を有することを特徴としてもよい。                  
【００１５】
本発明に係る吸排気装置では、収納部の内部に外気濾過捕集物質が収納されており、この外気濾過捕集物質は、粉状、粒状、或いは固形形状とすることができる。
【００１６】
また、本発明に係る吸排気装置は、外気濾過捕集物質を収納するための外部収納容器を更に備えることができる。また、前記外部収納容器は、前記収納部の内部形状に対応した形状を有する箱型のフィルターケース、又は袋状のフィルターパックを含むことを特徴とすることができる。
【００１７】
本発明に係る吸排気装置では、収納部の内部形状に対応した形状を有し、外気濾過捕集物質を収納するための箱型のフィルターケース、又は袋状のフィルターパックを含む外部収納容器を備えることができる。このような外部収納容器を予め用意し、これを収納容器に収納又は交換することで、容易に外気濾過捕集物質を入れ替えることができる。
【００１８】
また、本発明に係る吸排気装置では、前記収納部は、さらに、水蒸気を供給するための貯水容器を備え、前記貯水容器は、水蒸気を徐散するための穴部又は多孔質材料からなることを特徴としてもよい。
【００１９】
本発明に係る本発明に係る吸排気装置は、収納部が水蒸気を供給するための貯水容器を備え、この貯水容器が、水蒸気を徐散するための穴部又は多孔質材料からなるので、フェイスマスクを形成した際に、フェイスマスク内の湿度を適度に保つことができる。
【００２０】
また、本発明に係る吸排気装置では、前記貯水容器にパイプにより接続され、液体を収納する別の接続容器と、別の接続容器から前記貯水容器に前記液体を供給するためのポンプと、をさらに備えることを特徴としてもよい。
【００２１】
本発明に係る吸排気装置では、ポンプにより、別の接続容器から貯水容器にパイプを介して、水等の液体を容易に供給することができる。
【００２２】
本発明に係る吸排気装置では、前記対象物は、単層、多層、又は袋状のシートを含み、紙類、織布、不織布、樹脂、多孔質セラミック、金属、ゴム系の材料からなることを特徴としてもよい。
【００２３】
本発明に係る吸排気装置では、対象物として、単層、多層、又は袋状のシートを含むことができる。また、対象物の材料として、紙類、織布、不織布、樹脂、多孔質セラミック、金属、ゴム系の材料を用いることができる。
【００２４】
また、本発明に係る吸排気装置は、前記対象物を鼻に当接するための当接部材を更に備えることができる。また、前記当接部材は、前記収納部または前記保持部に設けられていることを特徴としてもよい。
【００２５】
本発明に係る吸排気装置では、前記対象物を鼻に当接するための当接部材を収納部または保持部に設けているので、使用者の顔の形状にフィッテイングするフェイスマスクを容易に形成することができる。
【００２６】
また、本発明に係るマスクは、上記の吸排気装置と、前記吸排気装置を取り付けるためのマスク本体とを含み、前記吸排気装置は、前記マスク本体の周縁部に着脱可能に取り付けられていることを特徴とすることができる。
【００２７】
また、本発明に係るマスクでは、前記マスク本体が、吸水性高分子ポリマー、吸水性剤または保水カプセルを含むことを特徴としてもよい。
【００２８】
また、本発明に係るマスクでは、前記マスク本体を鼻に当接するための当接部材を更に備え、前記当接部材は、前記収納部または前記保持部に設けられていることを特徴としてもよい。
【発明の効果】
【００２９】
本発明に係る吸排気装置を用いることにより、簡単にフェイスマスクを形成することができ、或いはフェイスマスクを提供することができる。  
【図面の簡単な説明】
【００３０】
【図１】図１は、本発明の一対の収納部と対象物（シート）からなる吸排気装置の構成を示した図である。
【図２】図２は、吸排気装置を用いたマスクの着装状態を説明するための図である。      図２（ａ）は、本発明のマスクを装着した正面図（前顔）を示した図である。図２（ｂ）は、本発明のマスクを装着した側面図（横顔）を示した図である。また、図２（ｃ）は、比較として従来型の使い捨てマスクを装着した正面図（前顔）を示した図である。
【図３】図３は、本発明の収納部の構成を示した図である。
【図４】図４は、吸排気装置が挟んマスクとして使う対象物（シート）を説明するための図である。図４（ａ）は、対象物（シート）として一般的なコーヒーフィルターをマスク用に簡便に用いるた事例を示した図である。図４（ａ−１）は、一般的なコーヒーフィルターに保持部材装着用タブ、顔面フィット用折り込み線、または切取りミシン線を施しマスクとして簡便に用いることを示した図である。図４（ａ−２）は、一般的なコーヒーフィルターに絵柄、装飾を施しマスクとして簡便に用いることを示した図である。図４（ａ−３）は、一般的なコーヒーフィルターの裏返しにして圧着部を装飾を施しマスクとして簡便に用いることを示した図である。図４（ａ−４）は、一般的なコーヒーフィルターの圧着部を狭型フィルター圧着部としマスクとして簡便に用いることを示した図である。図４（ａ−５）は、比較用の図で、現行の一般的なコーヒーフィルターをマスク用に簡便に用いる基本形の図である。図４（ｂ）は、本発明の対象物（シート）を本マスク補助具専用に成形した対象物（シート）をマスクとして簡便に用いることを示した図である。図４（ｃ）は、花粉症対策用に、本発明の吸排気装置専用に意匠デザインした対象物（シート）をマスクとして簡便に用いることを示した図である。図４（ｄ）は、一般の紙（新聞紙やコピー用紙など）に成型用ボール型などを用いて立体的な形状を持たせた対象物（シート）をマスクとして簡便に用いることを示した図である。
【図５】図５は、外気濾過捕集物質として用いる各種形態を説明するための図である。図５（ａ）は、外気濾過捕集物質をパックとして固めたものを用いることを説明するための図である。図５（ｂ）は、外気濾過捕集物質をパッケージににそのまま入れたものを用いることを説明するための図である。図５（ｃ）は、外気濾過捕集物質をフレキシブル袋ににそのまま入れたものを用いることを説明するための図である。
【図６】図６は、吸排気装置の概略の実施例を説明するための図である。図６（ａ）は、本発明の直方体型の収納部の構成を示した図である。図６（ｂ）は、図６（ａ）のＡ−Ａ線断面である。
【図７】図７は、吸排気装置の各種形状を説明するための図である。図７（ａ）は、本発明の直方体型の収納部の構成を示した図である。図７（ｂ）は、図７（ａ）が直方体型のＢ−Ｂ線断面図である。図７（ｃ）は、図７（ａ）の両端の高さを減少させた古墳型のＢ−Ｂ線断面図である。図７（ｄ）は、図７（ａ）の両端の高さを減少させた逆古墳型のＢ−Ｂ線断面図である。図７（ｅ）は、図７（ａ）の全体を湾曲させた弓型のＢ−Ｂ線断面図である。
【図８】図８は、隔壁を設けて外気導入通路と呼気排出通路の各々を分離した構成を示した図である。図８（ａ）は、本発明の直方体型の収納部の外気導入と呼気排出通路の上下分離型の構成を示した図である。図８（ｂ）は、図８（ａ）のＣ−Ｃ線断面図である。図８（ｃ）は、排気弁の取付け状況を示した図である
【図９】図９は、隔壁を設けて外気導入通路と呼気排出通路の各々を分離した構成を示した図である。図９（ａ）は、本発明の直方体型の収納部の外気導入と呼気排出通路の左右の横方向分離型の構成を示した図である。図９（ｂ）は、図９（ａ）のＤ−Ｄ線断面図である。図９（ｃ）は、図９（ａ）の両端の高さを減少させた古墳型のＤ−Ｄ線断面図である。
【図１０】図１０は、吸排気装置に加飾を付与した状態を説明するための図である。図１０（ａ）は、本発明の直方体型に子供用の加飾を施した吸排気装置の構成を示した図である。図１０（ｂ）は、図１０（ａ）のＥ−Ｅ線断面図である。
【図１１】は、本発明のマスク在庫切れ等の緊急対応に用いる吸排気装置の構成を示した図である。図１１（ａ）は、緊急対応用の吸排気装置の構成を示した図である。      図１１（ｂ）は、図１１（ａ）のＥ−Ｅ線断面図である。図１１（ｃ）は、収納部を用いない場合の最も緊急用に身近なものを吸排気装置として用いる場合の構成図である。
【図１２】図１２は、本発明の吸排気装置用ノーズフィッターの装着状態を示した図である。図１２（ａ）は、本発明の吸排気装置用ノーズフィッターを正面図（前顔）に装着状態を示した図である。図１２（ｂ）は、図１２（ａ）の側面図（横顔）を示した図である。図１２（ｃ）は、本発明の吸排気装置用のフェース・フィット・ケーシングを正面図（前顔）に装着状態を示した図である。
【図１３】図１３は、補水機能付き収納部を説明するための図である。図１３（ａ）は補水機能付き収納部の状態を示した図である。図１３（ｂ）図１３（ａ）のＤ−Ｄ線断面図である。図１３（ｃ）別の貯水容器を有した補水機能付き収納部の状態を示した図である。
【発明を実施するための形態】
【００３１】
以下、本発明の構造、構成および一部の実施例を図１〜５のモデル図を用いて示し、実施の形態を図６〜１３に実施例を説明する。
【００３２】
本発明による吸排気装置１の構成を、図１の概略図に示してある。この事例では中央に対象物（シート）３０としてコーヒーフィルター３１を用いた例を示しており、袋状のコーヒーフィルター３１を大きく開くと、丁度図２に示したように顔の鼻部および口腔部を覆うことができ、両端を吸排気装置１にコーヒーフィルター３１の一部を滑り止め部（挟み口部）１９を用い対象物（シート）３０を噛挟させて、耳掛け用ストラップ１６を用いて耳に引っ掛けると、顔面にマスクと同様の形状で装着することができる。
【００３３】
尚、対象物（シート）３０は使い捨てを原則としますが、その他の部位は数十回以上の使用を行う事を前提としており、吸排気装置１、及び耳掛け用ストラップ１６、鼻に当接するための当接部材として機能するノーズフィッター３４の各部位には、抗菌性を有した物品として、抗菌性を持たせた抗菌プラスチックが好ましく、主に銀、銅、亜鉛等の金属発生イオンによって抗菌効果を発するもの、更には、熱に弱く、効果期間の短いが人体への影響が少ない天然系素材としてわさび、カラシ、ヒノキなどの樹木や植物から抽出した成分の抗菌作用を用いる事も考えられる。
【００３４】
コーヒーフィルター３１の装着には、一般的なコーヒー店で販売されている「４〜７人用」は大人（特に男性）用として、「２〜４人用」は大人（特に女性）と小・中学生用として、「１〜２人用」は乳幼児用として用いるとフィットし易く、コーヒーフィルター３１の圧着部３３の部位だけが１ｃｍ程度はみ出た状態になる。
【００３５】
図２には、従来型の使い捨てマスク用い場合と、本発明に沿って対象物（シート）３０としてコーヒーフィルター３１を用い場合の比較を示しており、図（ｃ）は「一般的な平型のマスク２５」を装着した前顔であって、一般的にポリプロピレン製不織布フィルターでは通気性が有る（ある程度の気体の濾過が必要であるが、レベルは気体の圧力損失の単位）ため、吸気方向１００に吸入し、反対に排気方向２００に排気する。
【００３６】
フェースマスクの効用は、一般に、第一に、使用者（特に感染罹患者の場合は）自身が咳やくしゃみ等で飛沫を放散することを抑えること、第ニに、使用者が非感染者の場合に、既感染者からのウィルスや細菌に曝されることから逃れること、第三に、、ウィルスや細菌の付着の有無に拘わらず、使用者自身の手で鼻や口唇に触れることを避けることができることである。一般的に安価なマスクの場合は、“目開き”が大きいため、上記の第一及び第ニの効用を得ること困難であり、ウィルスや細菌の受け渡しが生じる可能性がある。しかし、本発明の吸排気装置１を用いたマスクを用いた場合では、通排気の気流の流れ方向が顔の側面で行われることになり、また“目開き”の小さな対象物（シート）または油剤等で気流が正面で行き来をしないため、上記の第１〜３の効用を確実に達成できる。
【００３７】
コーヒーフィルター３１を用いて顔の鼻部および口腔部を覆って顔面にマスクを装着した状態を示した図２（ａ）および図２（ｂ）のコーヒーフィルター３１の場合は、（本来のコーヒー抽出用には、ある程度の“お湯”をコーヒーフィルター３１の袋内に滞留させる必要が有る）紙製のため通気性が殆どないものが多く、前面に本発明のマスクを装着した正面図（前顔）を示した図である図２（ａ）では、吸排気は前後方向には殆ど無く、本発明のマスクを装着した側面図（横顔）を示した図である図２（ｂ）に示したように、収納部１０を介して、耳の横辺たりで、吸気方向１００に吸入し、反対に排気方向２００に排気することになり、本発明の吸排気装置１を用いたマスクを用いると、三つ目の効用で紹介した対面でのウィルスや細菌の蔓延や拡散を防ぐ効果も有している。
【００３８】
図３には、吸排気装置１の主に収納部１０の構成の概略を示した。吸排気装置１は片方単独（対向位置には簡易なフック等でも可能）、または左右一対で使用するもので、耳掛け用ストラップ１６を用いて通常の使い捨てマスクと同じように耳に掛けて使用し、収納部１０には、外気を導入し呼気を排出するための前後２ケ所のフィルター１２を設けた開口部１１と、上面には上蓋１４と対象物（シート）３０（コーヒーフィルター３１）を噛挟むための保持部材１３でマスクを構成することになり、内部には、上蓋１４を開けて外気濾過捕集物質２を保持する収納部１０とで構成されている。
【００３９】
尚、この吸排気装置１の全体は肌へのフィッティングを考慮すれば例えばシリコン製やウレタン等の変形素材を用いて全体が変形しても良く、また布や樹脂フィルムの素材を用いて変形できる形状であっても良い。
【００４０】
尚、外気濾過捕集物質２は、一般的には「細菌ろ過(ＢＦＥ)性/微粒子捕集（ＰＦＥ）性/ウィルス飛沫ろ過(ＶＦＥ)性」を有したもので、一般的には樹脂製繊維で作られた不織布の多層体あるいは綿状体、多孔質物質として活性炭、コーヒー豆の粉または粒やアルミナなどの吸着微粒子材料（粒状で用いる）、更には光触媒などの抗菌性を付与した材料、耐菌性セラミックスなどの単独で、または複合して構成された物品などを指している。
【００４１】
対象物（シート）３０として、袋状、単一シート、シートの重ね折り、複数枚の積層シートを用いることが可能で、図４（ａ−１）には簡易マスクとして利用するために事前に収納部１０の保持部材装着用タブ３７を付与、あるいはあらかじめ折り線またはまたは切取りミシン線３８を入れて利用し易くしたしたコーヒーフィルター３１、図４（ａ−２）は手書きでも良いし、子供の落書き、デザイナーの絵柄を付けたコーヒーフィルター４５、図４（ａ−３）はフィルター圧着部３３を裏返しにして出た圧着部が無いすっきりしたコーヒーフィルター３１、図４（ａ−４）はフィルター圧着部３３に替えてのり（接着剤）またはＶ字形に折った紙テープ（製本等の閉じ部に用いるような雰囲気のテープ）で挟込んで接合して圧着部が無くし見栄えをすっきりさせたコーヒーフィルター３１であって、図４（ａ−５）は現行のコーヒーフィルター３１であり、通気性が小の場合は単層でそのまま用いるが、通気性が大の場合は、フィルター圧着部３３を折ったものを２〜３枚重ねるか、またはあらかじめ水分で濡らした単層のコーヒーフィルター３１を用いることが出来る。
【００４２】
図４（ｂ）はあらかじめ鼻部および口腔部を覆う際に肌との密着度を向上させるために専用の形状と素材を用いて整形したシートを配置し構成させた事例を示しており、図４（ｃ）には、対象物（シート）３０全体または一部位、もしくは収納部１０に保持する外気濾過捕集物質２に、吸水性高分子ポリマーまたは吸水性剤を保持させる、または保水カプセルを配したシート３９を用い、使用前に吸水またはカプセルに保持した水分を徐散が可能な吸排気装置１の事例図を示している。
【００４３】
尚、図４（ｄ）は、対象物（シート）３０として一般の各種の紙（新聞紙やコピー用紙など）４０を対象物（シート）３０として立体的に形状を持たせたい場合に、ボール状の型４１の容器を２枚用意しプレスすることで簡易に立体型対象物（シート）３０を得ることができる手法であって、図の様にヒンジ４７を設けると装置として活用することが出来ることを示した図である
【００４４】
図５には、収納部１０の外気を導入し呼気を排出するための前後２ケ所のフィルター１２を設けた前記開口部１１の間に配置された前記収納部１０に、前記外気濾過捕集物質２をそのまま収納部１０に入れ込んで保持する他に、図５（ａ）に示した様に、前記外気濾過捕集物質２をホルダー内部形状にあわせて固化（粟おこし状に）加工を施したパック６０を用いる手法、図５（ｂ）に示した様に、前記外気濾過捕集物質２を入れる通気性素材を用いて作製した内部形状に加工した箱型のフィルターケース６１の箱に封入して用いる手法、または図５（ｃ）に示した様に、外気濾過捕集物質２を入れる通気性素材を用いて作製した巾着の様な袋状のフィルターパック６２に封入して用いる手法を用いて、一定の期間でそれらを交換して収納部１０に保持することができる。なお、箱型のフィルターケース６１及び袋状のフィルターパックは、本実施形態における外部収納容器に該当する。
【００４５】
市場にはＰＭ２.５対策を施した使い捨てマスクが多く販売されており、その殆どは「大気中に浮遊している２.５μｍ以下の汚染物質が混ざった小さな粒子」であるＰＭ２.５を通過させないために、フィルター１２には１μｍ以下の“目開き（メッシュでは流体の通過できるサイズを示す）”の不織布や繊維が用いられており、粒子状物質の粒度がそれなりに大きいと粒子間を気流が十分に通過でき、またフィルター１２の“目開き”もサイズで規定することができる。
【００４６】
挽き豆コーヒー粉は、一般的な基準としてコーヒーの挽き方により粉の粒子径がほぼ決まっており、家庭で良く用いられるペーパードリップに用いる細挽きコーヒー粉の粒径として０.５０ｍｍ（５００μｍ）以上が、そして反対に粗挽きコーヒー粉の粒径として０.８５ｍｍ（８５０μｍ）以上が一般的に用いられており、現行のＰＭ２.５対策を施した使い捨てマスクの５００〜８５０倍の粒度が大きいことが分かり、コーヒー粉間を気流が十分に通過でき、フィルター１２も例えば０．５ｍｍ以上のサイズの“目開き”で規定すると気流が十分に通過できることになる。
【００４７】
これらにより、０．５ｍｍ以下のサイズの“目開き”のフィルター１２を用い、０．５ｍｍ以上のサイズの粒度の外気濾過捕集物質２を収納部１０にそのまま投入し保持する手法の他にも、図５（ａ）に示した外気濾過捕集物質２を０．５ｍｍ以上のサイズの粒度を用いて外気濾過捕集物質２のパック６３として固めたものを用いる手法、図５（ｂ）に示した外気濾過捕集物質２を０．５ｍｍ以下のサイズの“目開き”の外気濾過捕集物質２を入れる内部形状に加工したフィルターケース６１ににそのまま入れたものを用いる手法、図５（ｃ）に示した外気濾過捕集物質２を収納部１０にそのまま投入し０．５ｍｍ以下のサイズの“目開き”の外気濾過捕集物質２を入れる巾着状のフィルター・パック６２に入れたものを用いる手法があり、また、粒径が０．５ｍｍ以上や以下の場合はそれぞれにフィルター１２の“目開き”サイズや、パッケージ２２や袋やのメッシュサイズの変更で対応するとそれぞれの大きさに相応しい利用ができる。
【００４８】
医療現場用予防対策のマスクとして用いられているＮ９５マスクの場合は、捕集効率が９５％以上という意味であってフィルター１２の目が極めて細かく通気量の確保が難しいため、少なくとも排気性能を十分確保できる本発明の実施例３または４で紹介する手法の吸排気装置１を用いると、医療現場における職場環境の改善につなげることも可能になる。
【００４９】
これらより、コーヒー粉を多孔質物質として用いることも可能であり、コーヒーの愛飲家にとっては、香りも一緒に楽しみながらマスクを着用できることが分かると同時に、同様に銀、銅、亜鉛等の金属発生イオンによって抗菌効果を発生する多孔質金属粉や粒を収納部１０に用いて同様の効果を得ることも可能である。
【００５０】
また、前後２ケ所のフィルター１２を設けた開口部１１の間に配置された前記収納部１０に保持する前記外気濾過捕集物質２に、香料を有した物質を添加することによって、香りを好む嗜好家にとっては、香りも一緒に楽しみながらマスクを着用できる。
【００５１】
＜実施例１＞
図６には、図３で用いた吸排気装置１を図６（ａ）に示してあり、「Ａ−Ａ線断面図」の位置の断面図の構成の詳細を図６（ｂ）に示した。収納部１０の左右の開口部１１には、外気を導入し呼気を排出するためフィルター１２を設け、上面には上蓋１４と対象物（シート）３０（コーヒーフィルター３１）を噛挟むための保持部材１３でマスクを構成することになり、内部には、上蓋１４を開けて外気濾過捕集物質２を保持する収納部１０とで構成されている。
【００５２】
外気濾過捕集物質２を保持する収納部１０の両脇には開口部１１が配されており、そこに設置された２つのフィルター１２を通して、吸排気をする構成になっており、空気の出入り３００がそこで行われている状況を実施例として示した。
【００５３】
滑り止め部（挟み口部）１９には、波型、シリコン樹脂等のソフトな樹脂の成形体、挟み口部にソフトな樹脂の面状体を有した成形体、挟み口部に粘着物質を有した滑り止め器具などを用いることが出来る。
【００５４】
＜実施例２＞
図６での説明が横断面であったのに対し、図７は図３および図６位置の縦断面図の構成の詳細を主にに示している。収納部１０は顔面の縦方向に長いデバイスであって、それに従い多種の形状が想定されるが、事例として図７に順に示してあり、図３および図４で用いた収納部１０を図７（ａ）に、対象物（シート）３０としてコーヒーフィルター３１を用いた断面図を図７（ｂ）〜図７（ｅ）に示した。
【００５５】
また収納部１０は、対象物（シート）３０（コーヒーフィルター３１端部）を含めて、特に縦長方向には可能な限り肌面に密着することが求められるため、断面図の両端が先細りする形状になることになる状態を図７（ｂ）〜図７（ｅ）に事例として示しており、図７（ｃ）は比較的平坦な肌面、図７（ｄ）は比較的細顔で頬が凹んだ肌面、図７（ｅ）は比較的肥えた顔で頬が凸ばんだ肌面の方の装着を想定した構成および形状を用いている状況を実施例として示した。
【００５６】
＜実施例３＞
図８は、隔壁２３を設け、外気導入通路と呼気排出通路の各々を上下に分離して行う構成を示しており、図７で用いた収納部１０を主に説明した吸排気装置１を図８（ａ）に示してあり、「Ｃ−Ｃ線断面図」の位置の断面図の構成の詳細を図８（ｂ）に、排気弁部の詳細構成内容を図８（ｃ）に示してあり、この通路はヒンジ部４７を有した排気弁１７により排気のみ流出し、排気弁１７をシール有したストッパー２１で逆流を止める構成により、呼気の排気のみに用いられる。
【００５７】
収納部１０は、複数の開口部１１があり、一方の開口部は吸気口４として、もう一方の開口部は排気口と５して機能し、収納部１０は、吸気口４を有する吸気通路６と、排気口５を有する排気通路７と、吸気通路６と排気通路７との間には隔壁２３が設けられており、収納部１０は、吸気通路６に外気濾過捕集物質２を収納可能に構成され、排気通路７には、収納部１０の内部から外部方向の方向に空気を排出するための排気弁１７が設けられている。
【００５８】
吸気通路６側には吸気方向１００の外気を濾過・捕集するために外気濾過捕集物質２を保持し、呼気を押し出すための排気通路７側には排気方向２００の排気を外部へ逃がすため、通常は排気弁ストッパー２２で閉じている排気弁１７を配置し、構成している形状の事例である。
【００５９】
図９は、隔壁２３を設け、吸気通路６と排気通路７の各々を顔面の縦方向に分離して行う構成を示しており、図８で用いた収納部１０を主に説明した吸排気装置１を図９（ａ）に示してあり、「Ｄ−Ｄ線断面図」の位置の断面図の構成の詳細を図９（ｂ）および図９（ｃ）に示した。
【００６０】
構成は図８の事例と同じで、収納部１０は、前後２ケ所のフィルター１２を設けた開口部１１の間に、吸気通路６側には吸気方向１００の外気を濾過・捕集するために外気濾過捕集物質２を保持し、呼気を押し出すための排気通路７側には排気方向２００の排気を外部へ逃がすため、通常は排気弁ストッパー２２で閉じている排気弁１７を配置し、構成している形状の事例である。
【００６１】
＜実施例４＞
図１０は、図６の事例を用いて上蓋１４上に位置する保持部材１３の上に装飾品としてパンダのデコレーションを用いた事例である。子供用には本事例の様にかわいい動物やキャラクターの装飾、若者にはアニメやアーティスト、パフォーマーや各種デザイナーの装飾、などなどそれぞれに装飾を用いることが出来るし、磁気感知金属製の保持部材１３にはマグネットで装飾をＴＰＯで交換することも可能となり、ピアスやイアリングと同様の装飾品としても使用が可能となる実施例である。
【００６２】
図１０（ａ）は、本発明の直方体型に子供用の加飾を施した吸排気装置１の構成を示した図を、図１０（ｂ）には、図１０（ａ）のＥ−Ｅ線断面図を示しており、若者や女性用のデザイン、加飾や装飾を用いて、単に外気濾過捕集物質を用いた吸排気装置の機能だけではなく、イヤリングやピアスを代替えする装飾品としても活用ができる。
【００６３】
＜実施例５＞
図１１は、感染症のパンデミックなどの緊急時に多くの患者や健常者の保護のための使い捨てマスクが欠乏した場合、あるいは対象物（シート）３０に細菌ろ過(ＢＦＥ)性、微粒子捕集（ＰＦＥ）性、およびウィルス飛沫ろ過(ＶＦＥ)性などを満たしたシートを用いる場合の吸排気装置１を示しており、図１１（ａ）は肌との接触面に外気濾過捕集物質２の中の弾力性のある素材、例えば不織布製、通気性発泡樹脂製で構成された外気濾過捕集物質２を配置することによって、肌との擦れなどを防止すると同時に、そこを通過する外気の濾過・捕集を行うことが出来る事例で、図１１（ｂ）には外気濾過捕集物質２を配しないタイプものの、吸排気が可能な事例に示している。
【００６４】
＜実施例６＞
図１２は、図１２（ａ）および図１２（ｂ）に肌との密着度を向上するためにノーズフィッター３４を用いた事例、図１２（ｃ）には鼻部および口腔部の全体を覆う枠型のフェース・フィット・ケーシング４６を用いた事例を示したものである。なお、ノーズフィッター３４及びフェース・フィット・ケーシング４６は、本実施形態における当接部材に該当する。また、例えばコーヒーフィルター３１を用いる場合は、図４（ａ）の事例の様に、簡易マスクとして利用するために事前に折り線３２の記入やミシン目３７を入れて利用し易くしたシート、また見栄えを向上するのと同様に、紙製のノーズフィッター３４を利用することも可能だが、一般的には抗菌プラスチック製のを用いてること、またあらかじめ対象物（シート）３０の一部にノーズフィッター３４を用いた事例、図１１（ｃ）には鼻部および口腔部を含めた周囲を覆う枠であるフェース・フィット・ケーシング４６をノーズフィッター３４を用いたと同様に取り付けておくことも可能である。  
【００６５】
＜実施例７＞
図１３は、収納部１０に水分貯水容器５０を有し、図１３（ａ）に示した補水用貯水タンク５０を用いて吸水性剤または吸水性高分子を保持させたシートに水分を補水する、図１３（ｂ）は、図１３（ａ）のＧ-Ｇ断面線図であって、その構成を示してあり、または図１３（ｃ）に示した服飾や腰ベルト部に取り付けられる液体を収納する別の接続容器５６を有して、それに付帯したポンプ５１とパイプ５２を使って対象物（シート）３０等への水分補水をすることができ、保湿効果に代わる補水型の感染症予防や花粉症予防などに使用が可能となる実施例である。
【符号の説明】
【００６６】
１  ：吸排気装置
２  ：外気濾過捕集物質
４  ：吸気口
５  ：排気口
６  ：吸気通路
７  ：排気通路
１０：収納部
１１：開口部
１２：フィルター 
１３：保持部材 
１４：収納部の上蓋
１６：耳掛け用ストラップ
１７：排気弁
１８：バネ＆ヒンジ
１９：滑り止め部（挟み口部）
２１：排気弁ストッパー
２２：パッケージ
２３：隔壁
２５：＜比較用＞通常のマスク
２６：収納部用装飾品
３０：対象物（シート）
３１：コーヒーフィルター 
３２：フィルター折線
３３：フィルター圧着部 
３４：ノーズフィッター
３６：狭型フィルター圧着部
３７：保持部材装着用タブ
３８：顔面フィット用折り込み線、または切取りミシン線
３９：吸水性高分子ポリマーまたは吸水性剤を保持させる、または保水カプセルを配したシート
４０：各種紙類
４１：ボール状の型
４２：本マスク補助具専用に成形したフィルター
４４：一般の紙（新聞紙やコピー用紙など）に成型用ボール型の一例と立体的な形状を持たせた対象物（シート）をマスクとして簡便に用いることを示した図
４５：絵柄を付けたコーヒーフィルター
４６：フェース・フィット・ケーシング
４７：ヒンジ
５０：貯水容器
５１：ポンプ
５２：パイプ
５４：徐散するための穴部
５５：多孔質材料
５６：液体を収納する別の接続容器
６０：外気濾過捕集物質をホルダーを内部形状に加工したパック（固めたもの）
６１：外気濾過捕集物質を入れる内部形状に加工したフィルターケース
６２：外気濾過捕集物質を入れる巾着状のフィルターパック
６３：外気濾過捕集物質のパック（固めたもの）
６４：蓋
６５：包み紐（フィルターカバー状の袋もある）
１００：吸気方向
２００：排気方向
３００：空気の出入
【要約】      （修正有）【課題】ハンカチや紙等の身の回りの物に取り付けて、簡便にフェイスマスクとして使用できる吸排気装置、及びこの吸排気装置を利用したマスクを提供する。【解決手段】吸排気装置（１）は、外部から空気を吸排気するための開口部を備えた収納部（１０）と、収納部（１０）を対象物に着脱可能に保持するための保持部材とを備える。収納部（１０）の開口部には、フィルターが設けられており、収納部（１０）は、内部に外気濾過捕集物質を収納可能に構成されており、保持部材は、収納部（１０）に固定されている。【選択図】図１【図１】
0006890909.tif 000002
【図２】
0006890909.tif 000003
【図３】
0006890909.tif 000004
【図４】
0006890909.tif 000005
【図５】
0006890909.tif 000006
【図６】
0006890909.tif 000007
【図７】
0006890909.tif 000008
【図８】
0006890909.tif 000009
【図９】
0006890909.tif 000010
【図１０】
0006890909.tif 000011
【図１１】
0006890909.tif 000012
【図１２】
0006890909.tif 000013
【図１３】
0006890909.tif 000014